【手続補正書】
【提出日】平成19年7月18日(2007.7.18)
【手続補正１】
【補正対象書類名】明細書
【補正対象項目名】発明の名称
【補正方法】変更
【補正の内容】
【発明の名称】情報入力装置及びこれを備えた電子機器
【手続補正２】
【補正対象書類名】明細書
【補正対象項目名】特許請求の範囲
【補正方法】変更
【補正の内容】
【特許請求の範囲】
【請求項１】
情報入力のために押圧操作可能な押圧操作部材と、
前記押圧操作部材の操作に応じて生成される電気信号を伝達するための電気配線と、
前記押圧操作部材を支持する支持面と、前記支持面と直交する方向に延びる軸部とを有する支持部材と、
前記軸部に回転可能に嵌合する嵌合穴を回転中心部に有し、前記押圧操作部材の周囲でエンドレスに回転操作可能な回転操作部材と、
前記回転操作部材とともに回転可能であって、この回転中心部に前記軸部を貫通させる貫通穴を有しており、前記回転操作部材の回転操作にクリック感を付与するためのクリック板と、
前記回転操作部材とともに回転可能であって、この回転中心部に前記軸部を貫通させる貫通穴を有しており、前記回転操作部材の回転操作を検出するための回転検出板とを有し、
前記回転操作部材、前記クリック板及び前記回転検出板は、前記軸部が延びる方向において互いに積層されており、
前記電気配線は、前記軸部の内部に配置されていることを特徴とする情報入力装置。
【請求項２】
前記支持部材を固定するためのベース部材を有し、
前記回転検出板には導電パターンが形成されており、
前記導電パターンに接触する導通接片が、前記ベース部材に備え付けられていることを特徴とする請求項１に記載の情報入力装置。
【請求項３】
前記クリック板の外周面に所定ピッチで複数の凹部が形成されており、
前記ベース部材には前記回転操作部材の回転中心から径方向に延びる溝部が形成されており、
前記溝部には、前記クリック板の回転に伴い前記凹部に対して出入りする球部材と、この球部材を前記クリック板の外周面に向けて付勢するコイルバネとが収納されていることを特徴とする請求項２に記載の情報入力装置。
【請求項４】
請求項１から３のいずれか１つに記載の情報入力装置を備えたことを特徴とする電子機器。
【手続補正３】
【補正対象書類名】明細書
【補正対象項目名】００１４
【補正方法】変更
【補正の内容】
【００１４】
【課題を解決するための手段】
上記課題を解決するために、本発明では、情報入力のために押圧操作可能な押圧操作部材と、押圧操作部材の操作に応じて生成される電気信号を伝達するための電気配線と、押圧操作部材を支持する支持面と、支持面と直交する方向に延びる軸部とを有する支持部材と、軸部に回転可能に嵌合する嵌合穴を回転中心部に有し、押圧操作部材の周囲でエンドレスに回転操作可能な回転操作部材と、回転操作部材とともに回転可能であって、この回転中心部に軸部を貫通させる貫通穴を有しており、回転操作部材の回転操作にクリック感を付与するためのクリック板と、回転操作部材とともに回転可能であって、この回転中心部に軸部を貫通させる貫通穴を有しており、回転操作部材の回転操作を検出するための回転検出板とを有し、回転操作部材、クリック板及び回転検出板は、軸部が延びる方向において互いに積層されており、電気配線は、軸部の内部に配置されている構成としている。
【手続補正４】
【補正対象書類名】明細書
【補正対象項目名】００１６
【補正方法】変更
【補正の内容】
【００１６】
なお、回転検出板に導電パターンを形成し、回転検出板の回転に伴い導電パターンに接触可能な導通接片を、上記支持部材を保持するベース部材に固定することができる。また、クリック板の回転に伴いこのクリック板の外周面に形成された凹部に対して出入りする球部材と、この球部材をクリック板の外周面に向けて付勢するコイルバネとを、上記支持部材を保持するベース部材に形成された溝部（回転操作部材の回転中心から径方向に延びる溝部）内に収納することができる。これにより、情報入力装置全体の構成部品を少なくすることが可能となるとともに、情報入力装置の軸方向の投影面積をも小さくすることが可能となる。
【手続補正５】
【補正対象書類名】明細書
【補正対象項目名】００３０
【補正方法】変更
【補正の内容】
【００３０】
２００は被写体像を映す撮影画面であり、被写体として、２２０ａ、２２０ｂ、２２０ｃからなる３本の木２２０と、２２１ａ、２２１ｂの二人の人物２２１が映っている。
【手続補正６】
【補正対象書類名】明細書
【補正対象項目名】００３５
【補正方法】変更
【補正の内容】
【００３５】
撮影者が実際に撮影したい被写体像が人物２２１ａである場合には、人物２２１ａの顔付近を捉えている焦点検出領域２０７を合焦するための焦点検出領域として選択する必要がある。このため、撮影者は、方向選択キー１１３を操作することにより、焦点検出領域を変更することになる。具体的には、まず下操作キー１１３ｄを１回押下することにより、焦点検出領域２０５から焦点検出領域２１０に変更する。次に、左操作キー１１３ａを３回押下して、焦点検出領域を２０９、２０８、２０７と順次に変更する。これにより、焦点検出領域２０７を選択することができ、焦点検出領域２０７が点滅すると共に（図２（Ｂ））、焦点検出領域２０７に焦点を置いた測光値により設定されるシャッタ秒時と絞り値が条件表示部２３０に表示される。
【手続補正７】
【補正対象書類名】明細書
【補正対象項目名】００４１
【補正方法】変更
【補正の内容】
【００４１】
１１７はフレキシブル基板で、接点１１３ｅ〜１１３ｈのそれぞれに対応した接点パターン１１７ａ〜１１７ｄが設けられており、接点１１３ｅ〜１１３ｈと当接することで信号が発生する。また、フレキシブル基板１１７は、撮影者が方向操作キー１１３の押圧操作により生成する信号を装置外部の処理回路に伝達するためのリード部１１７ｅ（電気配線）を備えている。
【手続補正８】
【補正対象書類名】明細書
【補正対象項目名】００４２
【補正方法】変更
【補正の内容】
【００４２】
１１８は選択キー受け台（支持部材）で、方向選択キーカバー１１４、方向選択キー１１３及びフレキシブル基板１１７を積層したものを支持・固定する。選択キー受け台１１８の裏面側中心部には、円筒状に形成された回転嵌合軸１１８ｂが設けられており、この回転嵌合軸１１８ｂの中心部には、リード部１１７ｅを通過させるための受け台開口部１１８ａが設けられている。
【手続補正９】
【補正対象書類名】明細書
【補正対象項目名】００４９
【補正方法】変更
【補正の内容】
【００４９】
１２１ｃはクリックボール１２２及びクリックバネ１２３を配置させるためのガイド溝である。クリックボール１２２は、クリックバネ１２３の伸張力を受けており、回転ダイヤル１１５の回転に伴い、波状形状部１１９ａに合わせて３０１ａ又は３０１ｂに示す方向（図４参照）に移動する。
【手続補正１０】
【補正対象書類名】明細書
【補正対象項目名】００５４
【補正方法】変更
【補正の内容】
【００５４】
受け台ベース１２１に設けられた金属接片１２１ｂは、位相基板１２０上の導通パターン１２０ａに当接することにより、回転ダイヤル１１５の回転位置に応じた信号を情報入力装置外部の不図示の処理回路に送る。これにより、条件表示部２３０に表示される露出シフト量が設定変更される。
【手続補正１１】
【補正対象書類名】明細書
【補正対象項目名】００６０
【補正方法】変更
【補正の内容】
【００６０】
なお、回転検出板に導電パターンを形成し、回転検出板の回転に伴い導電パターンに接触可能な導通接片を、支持部材を保持するベース部材に固定することができる。また、クリック板の回転に伴いこのクリック板の外周面に形成された凹部に対して出入りする球部材と、この球部材をクリック板の外周面に向けて付勢するコイルバネとを、上記ベース部材に形成された溝部（回転操作部材の回転中心から径方向に延びる溝部）内に収納することができる。これにより、情報入力装置全体の構成部品を少なくすることができるとともに、情報入力装置の軸方向の投影面積（つまりは、電子機器における配置面積）をも小さくすることができる。